(57)【特許請求の範囲】
【請求項１】
吹出口が設けられたドライヤー本体を有するドライヤーにおいて、
前記ドライヤー本体に着脱可能に取り付けられる液体容器及び前記ドライヤー本体の前記吹出口近傍に設けられる超音波振動子とを有し、前記液体容器内の液体を前記超音波振動子によって霧化する霧化装置を設け、
前記液体容器が、容器本体と、この容器本体に対して出没可能に取り付けられる導液体と、この導液体を外方に付勢する付勢手段とを有して構成されると共に、前記液体容器を前記ドライヤー本体に取り付けた際に、前記付勢手段の付勢力によって前記導液体が前記超音波振動子に押し付けられ、
前記導液体が、吸液性、通液性及び保液性に優れた材質によって略円筒状に形成されると共に、前記容器本体内の液体を前記超音波振動子まで送り、
前記液体容器が、前記容器本体に対して着脱自在に取り付けられるキャップ組立体を有し、このキャップ組立体が、貫通孔が形成されたキャップと、このキャップに取り付けられると共に貫通孔が形成された第一保持体と、前記導液体を保持すると共にフランジ部を外面に有する第二保持体とを有し、この第二保持体が、前記フランジ部が前記キャップと第一保持体との間に位置するように、前記各貫通孔に通されて前記キャップと第一保持体に保持されて、前記第一保持体とフランジ部との間で前記付勢手段が挟持されると共に、
前記霧化装置を、霧化された液体を前記吹出口から吹き出される気流と合流させるよう配置したことを特徴とするドライヤー。
【請求項２】
前記キャップが雌螺子部を有し、前記第一保持体が前記雌螺子部と螺合する第一雄螺子部を有すると共に、前記容器本体が前記雌螺子部と螺合する第二雄螺子部を有することを特徴とする請求項１記載のドライヤー。
【請求項３】
前記キャップの内面と前記フランジ部の間にＯリングを設けたことを特徴とする請求項１記載の霧化装置。
【発明の詳細な説明】
【技術分野】
【０００１】
本発明は、頭髪等を乾燥させるためのドライヤーに関するものである。
【背景技術】
【０００２】
従来、この種のドライヤーとして、ドライヤー本体の吹出口に取り付けられるノズルに芳香剤収容部を設け、この芳香剤収容部に芳香剤を収容し、ドライヤーの熱で芳香剤を気化させて、熱風と共に芳香剤を髪に送るようにしたものが知られている（例えば、特許文献１参照。）。
【先行技術文献】
【特許文献】
【０００３】
【特許文献１】特許第４５４１９８７号公報
【発明の概要】
【発明が解決しようとする課題】
【０００４】
しかしながら、このようなドライヤーは、頭髪に香りを付ける程度の量の芳香剤であれば十分実用的であるが、比較的大量に用いられる薬剤（例えば、毛髪補修剤等）を芳香剤収容部に収容して使用するのは実用的でなかった。特に、このような薬剤は、ドライヤーのヒータが発生させた熱によって、成分濃度が変わったり変質してしまったりする虞があるので、従来のドライヤーの芳香剤収容部に収容して使用することができなかった。そもそも、熱によって気体となった薬剤は、頭髪に付着しにくいので、頭髪に対し期待される薬剤の作用を奏さない虞がある。このため、従来、頭髪に薬剤を用いる場合、頭髪に薬剤を塗布或いは吹き付けて馴染ませた後、ドライヤーで乾燥させる必要があり、手間がかかった。
【０００５】
本発明は以上の問題点を解決し、薬剤等の液体を手間なく均等に吹き付けながら頭髪を乾燥させることができるドライヤーを提供することを目的とする。
【課題を解決するための手段】
【０００６】
本発明の請求項１に記載のドライヤーは、吹出口が設けられたドライヤー本体を有するドライヤーにおいて、前記ドライヤー本体に着脱可能に取り付けられる液体容器及び前記ドライヤー本体の前記吹出口近傍に設けられる超音波振動子とを有し、前記液体容器内の液体を前記超音波振動子によって霧化する霧化装置を設け、前記液体容器が、容器本体と、この容器本体に対して出没可能に取り付けられる導液体と、この導液体を外方に付勢する付勢手段とを有して構成されると共に、前記液体容器を前記ドライヤー本体に取り付けた際に、前記付勢手段の付勢力によって前記導液体が前記超音波振動子に押し付けられ、前記導液体が、吸液性、通液性及び保液性に優れた材質によって略円筒状に形成されると共に、前記容器本体内の液体を前記超音波振動子まで送り、前記液体容器が、前記容器本体に対して着脱自在に取り付けられるキャップ組立体を有し、このキャップ組立体が、貫通孔が形成されたキャップと、このキャップに取り付けられると共に貫通孔が形成された第一保持体と、前記導液体を保持すると共にフランジ部を外面に有する第二保持体とを有し、この第二保持体が、前記フランジ部が前記キャップと第一保持体との間に位置するように、前記各貫通孔に通されて前記キャップと第一保持体に保持されて、前記第一保持体とフランジ部との間で前記付勢手段が挟持されると共に、前記霧化装置を、霧化された液体を前記吹出口から吹き出される気流と合流させるよう配置したものである。
【０００７】
また、本発明の請求項２に記載のドライヤーは、請求項１において、前記キャップが雌螺子部を有し、前記第一保持体が前記雌螺子部と螺合する第一雄螺子部を有すると共に、前記容器本体が前記雌螺子部と螺合する第二雄螺子部を有するものである。
【０００８】
更に、本発明の請求項３に記載のドライヤーは、請求項１において、前記キャップの内面と前記フランジ部の間にＯリングを設けたものである。
【発明の効果】
【０００９】
本発明の請求項１に記載のドライヤーは、以上のように構成することにより、前記超音波振動子によって熱の影響なく霧化した液体を、ドライヤーが発生させた気流に乗せて速やかに頭髪に吹き付けることができるので、薬剤等の液体を頭髪に対し手軽に使用することができる。また、薬剤等の液体が熱の影響を受けるのが、前記霧化装置から吹き出されてから頭髪に至るまでの短時間なので、薬剤等の液体の熱による影響を最小限に抑えることができる。また、前記液体容器内の液体が確実に前記超音波振動子まで送られて超音波振動を受けるので、良好にミストを発生させて頭髪に送ることができる。更に、給液のために前記液体容器から前記キャップ組立体を取り外したとしても、前記導液体と付勢手段が前記キャップ組立体の状態のまま前記容器本体から取り外されるので、前記液体容器への給液の度に前記導液体と付勢手段を組み付ける必要がなく、前記液体容器への給液を容易に行うことができる。
【００１０】
また、前記キャップに雌螺子部を設け、前記第一保持体に前記雌螺子部と螺合する第一雄螺子部を設けると共に、前記容器本体に前記雌螺子部と螺合する第二雄螺子部を設けることで、前記キャップの構造を単純化して安価に構成することができる。
【００１１】
更に、前記キャップの内面と前記フランジ部の間にＯリングを設けたことで、前記液体容器を前記ドライヤー本体から取り外した際に、前記キャップとフランジ部との間が前記Ｏリングによってシールされるので、前記容器本体から前記第一保持体を通った水が、前記キャップの外に漏れるのを防ぐことができる。
【図面の簡単な説明】
【００１２】
【図１】本発明の一実施形態を示すドライヤーの正面図である。
【図２】同、平面図である。
【図３】同、霧化装置周辺の拡大断面図である。
【図４】同、液体容器の拡大断面図である。
【図５】同、容器本体からキャップ組立体を取り外した状態における液体容器の拡大断面図である。
【図６】同、キャップ組立体の分解断面図である。
【図７】同、キャップの拡大断面図である。
【図８】同、第一保持体の拡大断面図である。
【図９】同、第二保持体及び導液体の拡大断面図である。
【図１０】同、液体容器の分解斜視図である。
【発明を実施するための形態】
【００１３】
以下、本発明の実施形態について、図１乃至図１０に基づいて説明する。なお、以下の説明において、「液体」とは、頭髪に作用する薬剤等の他、水等も含む。１は、霧化装置２が組み込まれたドライヤーである。このドライヤー１は、そのドライヤー本体３に吹出口４とミスト吹出口５が設けられる。なお、前記ミスト吹出口５は、前記吹出口４の上方に、前記吹出口４とは独立して設けられる。そして、前記ミスト吹出口５には、板状の超音波振動子６が固定される。なお、この超音波振動子６には、図面では表れない多数の微小な貫通孔が形成される。また、前記ドライヤー本体３の上部には、取付凹部７が形成され、この取付凹部７に液体容器８が着脱可能に取り付けられる。そして、前記超音波振動子６は、前記取付凹部７に露出すると共に、その周囲がシール部材９によって囲まれる。そして、このシール部材９は、その先端が、前記取付凹部７に前記液体容器８を取り付けた際に、この液体容器８の後述するキャップ１６と接するように構成される。更に、前記ドライヤー本体３には、前記霧化装置２を作動させる図示しない制御回路を操作するための操作スイッチ１０が設けられる。このように、前記ミスト吹出口５及び取付凹部７が形成された前記ドライヤー本体３、このドライヤー本体３の取付凹部７に対し着脱可能に取り付けられる前記液体容器８、前記ドライヤー本体３に固定される前記超音波振動子６、この超音波振動子６の周囲を囲む前記シール部材９、前記制御回路及び前記操作スイッチ１０によって、前記霧化装置２が構成される。更に、前記取付凹部７の上方に、前記液体容器８を覆うカバー体１１が、前記ドライヤー本体３に対し着脱可能に取り付けられる。また、前記ドライヤー本体３には、前記カバー体１１の指掛け部１２に指を掛けるための凹部１３が形成される。
【００１４】
前記液体容器８について詳述する。この液体容器８は、キャップ組立体１４と、容器本体１５とで構成される。そして、前記キャップ組立体１４は、キャップ１６と、第一保持体１７と、第二保持体１８と、導液体１９と、付勢手段としての圧縮コイルバネ２０と、Ｏリング２１とを組み立てることで構成される。そして、前記キャップ組立体１４は、前記各構成部品によって組み立てられた状態のまま、前記容器本体１５に対して着脱可能に取り付けられる。従って、前記容器本体１５に液体を注入するために前記キャップ組立体１４を前記容器本体１５から取り外したとしても、前記キャップ組立体１４を構成する各部品は組み立てられたままの状態であり、給液の度に前記キャップ組立体１４を分解したり組み立てたりする必要がない。
【００１５】
前記キャップ１６には、貫通孔２２及び雌螺子部２３が形成される。なお、前記貫通孔２２の内径Ｄ１は、前記第二保持体１８の外径Ｄ２よりも僅かに大きく、且つ前記第二保持体１８の外面に形成されたフランジ部１８Ａの外径Ｄ３よりも小さく形成される。
【００１６】
前記第一保持体１７は、略中空円筒状に形成される。そして、前記第一保持体１７の内径Ｄ４は、前記フランジ部１８Ａの外径Ｄ３よりも大きく形成される。また、前記第一保持体１７の一端側には、内向きのフランジ部１７Ａが形成されると共に、このフランジ部１７Ａの中央に貫通孔２４が形成される。また、前記第一保持体１７は、その他端側に拡径部１７Ｂが形成され、この拡径部１７Ｂに第一雄螺子部２５が形成される。なお、前記貫通孔２４の内径Ｄ５は、前記貫通孔２２の内径Ｄ１とほぼ等しく、前記第二保持体１８の外径Ｄ２よりも僅かに大きく、且つ前記フランジ部１８Ａの外径Ｄ３よりも小さく形成される。また、前記拡径部１７Ｂの外径Ｄ６は、前記容器本体１５の後述する口部２７の外径Ｄ７とほぼ等しく形成される。更に、前記第一雄螺子部２５は、前記雌螺子部２３に対応して形成される。従って、前記第一保持体１７は、前記雌螺子部２３に前記第一雄螺子部２５を螺合させることによって、前記キャップ１６に取り付けられる。
【００１７】
前記第二保持体１８は、その一端が閉じると共に他端が開口した略中空円筒状に形成される。そして、前記第二保持体１８は、その内部空間に前記導液体１９が保持されるように構成される。また、前述したように、前記第二保持体１８の外面には、前記フランジ部１８Ａが形成される。そして、このフランジ部１８Ａは、前記第二保持体１８の外面の他端寄りに形成される。また、前記第二保持体１８の一端寄りの部分には、複数の通液孔２６が形成される。なお、前記第二保持体１８の内径Ｄ８は、前記導液体１９の外径Ｄ９と同じか又は僅かに大きく形成される。また、前記第二保持体１８の開口部１８Ｂから底部１８Ｃまでの長さＬ１は、前記導液体１９の長さＬ２よりも小さく形成される。従って、前記導液体１９は、その一端が前記底部１８Ｃに当接するよう前記第二保持体１８に挿入しても、その他端が前記開口部１８Ｂから突出する。更に、前述したように、前記第二保持体１８の外径Ｄ２は、前記キャップ１６の貫通孔２２の内径Ｄ１及び前記第一保持体１７の貫通孔２４の内径Ｄ５よりも僅かに小さい。また、前記フランジ部１８Ａの外径Ｄ３は、前記貫通孔２２の内径Ｄ１及び前記貫通孔２４の内径Ｄ５よりも大きく形成される。このため、前記第二保持体１８は、その一端側が前記第一保持体１７の貫通孔２４を通って突出し、その他端側が前記キャップ１６の貫通孔２２を通って突出するようにして、前記キャップ１６の雌螺子部２３と前記第一保持体１７の第一雄螺子部２５を螺合させることで、前記キャップ１６と第一保持体１７とで軸方向に移動可能に保持される。
【００１８】
前記導液体１９は、フェルト等の、吸液性、通液性及び保液性に優れた材質によって略円筒状に形成される。また、前記圧縮コイルバネ２０は、その一端が前記第一保持体１７のフランジ部１７Ａに当接すると共に、その他端が前記第二保持体１８のフランジ部１８Ａに当接するように、前記第一保持体１７と第二保持体１８の間に設けられる。更に、前記Ｏリング２１は、前記キャップ１６の内面と前記第二保持体１８のフランジ部１８Ａとの間に設けられる。
【００１９】
前記容器本体１５は、透明な又は透光性を有する材質によって、口部２７を有する瓶形状に形成される。そして、この容器本体１５の口部２７には、第二雄螺子部２８が形成される。なお、この第二雄螺子部２８は、そのピッチ及び螺子山の高さが前記第一雄螺子部２５とほぼ等しく形成される。また、前述したように、前記口部２７の外径Ｄ７は、前記拡径部１７Ｂの外径Ｄ６とほぼ等しく形成される。従って、前記第一雄螺子部２５と第二雄螺子部２８は、共通の前記雌螺子部２３と螺合可能に構成される。このため、前記キャップ１６は、一つの前記雌螺子部２３のみを形成すればよいので、構造が単純となり安価に構成することができる。
【００２０】
なお、２９は前記ドライヤー本体３に対して折り畳み可能に取り付けられたハンドル、３０は前記ハンドルに設けられた主操作スイッチ、３１は電源コードである。
【００２１】
次に、本実施形態の作用について説明する。まず使用者は、前記ドライヤー本体３の凹部１３に指を入れて前記カバー体１１の指掛け部１２に指を掛け、前記カバー体１１を取り外す。そして、前記ドライヤー本体３に形成された取付凹部７から、前記液体容器８を取り外す。
【００２２】
そして、前記液体容器８から前記キャップ組立体１４を取り外す。そして、このキャップ組立体１４が取り外された前記容器本体１５の口部２７から、前記容器本体１５内に液体を注入する。そして、液体が注入された前記容器本体１５の口部２７に、前記キャップ組立体１４を再び取り付ける。この状態で、前記キャップ組立体１４を構成する前記第二保持体１８及び導液体１９は、前記圧縮コイルバネ２０によって軸方向外側へ付勢されることで、最も外側に突出した状態となる。また、この際、前記第二保持体１８が前記圧縮コイルバネ２０に押されて前記キャップ１６の方向に移動することによって、前記Ｏリング２１は、前記キャップ１６の内面と前記フランジ部１８Ａによって挟まれて双方に密着する。これによって、前記第一保持体１７の内面と前記フランジ部１８Ａの隙間から、前記貫通孔２２と前記第二保持体１８の隙間を通って前記液体容器８内の水が漏れることが防止される。また、前記液体容器８内の液体は、前記第二保持体１８に形成された通液孔２６を通って前記導液体１９に吸収され、この導液体１９に保持される。従って、前記導液体１９から前記液体容器８内の液体が漏れることも防止される。更に、前記第二保持体１８及び導液体１９は、前記圧縮コイルバネ２０の付勢力に抗して、軸方向内側に押し込むことができる。即ち、前記第二保持体１８及び導液体１９は、前記容器本体１５に対して出没可能である。
【００２３】
そして、このように液体が注入された前記液体容器８を、前記ドライヤー本体３の取付凹部７に再び取り付ける。この際、前記導液体１９の他端が前記超音波振動子６の一面側に接触すると共に、前記導液体１９及び第二保持体１８が、前記圧縮コイルバネ２０の付勢力に抗して前記液体容器８の内側へ押し込まれる。従って、前記導液体１９は、前記圧縮コイルバネ２０の付勢力によって前記超音波振動子６に押し付けられる。そして、前記超音波振動子６に前記導液体１９が押し付けられることで、この導液体１９に保持された液体が、前記超音波振動子６に形成された多数の微小な貫通孔に流れ込み、保持される。また、前記シール部材９の先端は、前記液体容器８のキャップ１６の外面に接触する。これによって、前記超音波振動子６と導液体１９は、前記シール部材９とキャップ１６の外面とによって囲まれる。そして、前記液体容器８を覆うように、前記ドライヤー本体３に前記カバー体１１を再び取り付ける。
【００２４】
そして、前記ハンドル２９を起こした後、前記電源コード３１の先端に設けられた図示しない電源プラグを、同じく図示しない交流電源のアウトレットに接続する。そして、前記主操作スイッチ３０を操作することによって、前記吹出口４から温風又は冷風が吹き出される。そして、前記ハンドル２９を把持して前記吹出口４を頭部に向け、温風又は冷風を頭髪に吹き付けることで、髪を乾燥させたりセットしたりすることができる。
【００２５】
そして、頭髪に霧化された液体（ミスト）を吹き付ける場合、使用者は、前記操作スイッチ１０を操作することで、図示しない制御回路によって、前記超音波振動子６を振動させる。そして、この超音波振動子６が振動することによって、前記超音波振動子６に形成された多数の微小な貫通孔に保持された液体が、前記超音波振動子６の他面側で霧化し、前記ミスト吹出口５から吹き出される。この際、前述したように、前記導液体１９の他端が、前記圧縮コイルバネ２０の付勢力によって前記超音波振動子６の一面側に押し付けられるので、この超音波振動子６の一面側と前記導液体１９の他端との接触状態を良好に保つことができる。このため、前記導液体１９に保持された液体を、前記超音波振動子６に確実に送り、良好に霧化することができる。そして、霧化された液体を補うように、前記超音波振動子６の多数の微小な貫通孔へ前記導液体１９の他端側に保持された液体が移動し、この導液体１９の他端側へ一端側に保持された液体が移動すると共に、前記導液体１９の一端側へ、前記液体容器８内の液体が、前記第二保持体１８の通液孔２６を通って移動する。このようにして、前記液体容器８内の液体が、前記超音波振動子６によって順次霧化する。そして、前記ミスト吹出口５から吹き出されたミストは、前記吹出口４から吹き出された気流と合流し、この気流と共に頭髪に吹き付けられる。頭髪に吹き付けられたミストは、傷んだ頭髪を補修したり、頭髪に艶を与えたりする。
【００２６】
前述した通り、前記液体容器８は、前記ドライヤー本体３に設けられた前記取付凹部７に設置され、前記ドライヤー１の送風経路から隔離される。このため、前記液体容器８内の液体は、前記ドライヤー１の図示しないヒータによって高温に加熱されることがない。従って、霧化前の前記液体容器８内の液体は、前記ヒータからの熱による影響を殆ど受けない。一方、前述した通り、液体の霧化は、前記超音波振動子６によって行われ、前記ヒータの熱が関与しない。なお、前記ミスト吹出口５から吹き出されたミストは、前記吹出口４から吹き出された気流が熱風である場合、その熱の影響を受けることになる。しかしながら、ミストが熱の影響を受けるのは、前記ミスト吹出口５から吹き出されてから頭髪に至るまでの短時間であり、影響を最小限に抑えることができる。
【００２７】
なお、前記導液体１９に保持された液体の一部は、前記導液体１９の周囲で霧化してミストとなる可能性がある。しかしながら、前述したように、前記超音波振動子６の周囲が前記シール部材９によって囲まれていると共に、このシール部材９の先端が、前記取付凹部７に前記液体容器８を取り付けた際に前記キャップ１６と接するので、前記ミストは、前記超音波振動子６と前記シール部材９と前記キャップ１６とで囲まれた空間から、前記取付凹部７とカバー体１１とで囲まれた空間へ漏れることがない。また、前記ミストの一部は、前記空間から前記超音波振動子６の貫通孔を通過して、前記ミスト吹出口５から吹き出される。更に、前記ミストの一部は、前記導液体１９に吸収された後、再び前記超音波振動子６の貫通孔を通過して、この超音波振動子６で霧化させられて、前記ミスト吹出口５から吹き出される。
【００２８】
以上のように本発明は、吹出口４が設けられたドライヤー本体３を有するドライヤー１において、液体容器８内の薬剤等の液体を超音波振動子６によって霧化する霧化装置２を設け、前記液体容器８を、前記ドライヤー本体３に着脱可能に取り付け、前記超音波振動子６を、前記ドライヤー本体３の前記吹出口４近傍に設けると共に、前記吹出口４から吹き出される気流とミストを合流させるように前記霧化装置２を配置したことで、前記超音波振動子６によって熱の影響なく霧化した液体を、ドライヤー１が発生させた気流に乗せて速やかに頭髪に吹き付けることができるので、液体を頭髪に対し手軽に使用することができるばかりでなく、液体の熱による影響を最小限に抑えることができるものである。
【００２９】
また、本発明は、前記液体容器８を、容器本体１５と、この容器本体１５に対して出没可能に取り付けられる導液体１９と、この導液体１９を外方に付勢する付勢手段としての圧縮コイルバネ２０を有して構成すると共に、前記液体容器８を前記ドライヤー本体３に取り付けた際に、前記圧縮コイルバネ２０の付勢力によって前記導液体１９が前記超音波振動子６に押し付けられるように構成したことで、前記導液体１９の前記超音波振動子６への接触状態が良好に保たれるので、前記液体容器８内の液体が前記導液体１９を通って前記超音波振動子６まで送られ、確実に超音波振動を受けるので、良好にミストを発生させて頭髪に吹き付けることができるものである。
【００３０】
また、本発明は、前記液体容器８が、前記容器本体１５に対して着脱自在に取り付けられるキャップ組立体１４を有し、このキャップ組立体１４が、貫通孔２２が形成されたキャップ１６と、このキャップ１６に取り付けられると共に貫通孔２４が形成された第一保持体１７と、前記導液体１９を保持すると共にフランジ部１８Ａを有する第二保持体１８とを有し、この第二保持体１８が、前記フランジ部１８Ａが前記キャップ１６と第一保持体１７との間に位置するように、前記各貫通孔２２，２４に通されて前記キャップ１６と第一保持体１７に保持されると共に、前記第一保持体１７のフランジ部１７Ａと前記第二保持体１８のフランジ部１８Ａとの間で前記圧縮コイルバネ２０が挟持されることで、給液のために前記液体容器８から前記キャップ組立体１４を取り外したとしても、前記導液体１９と圧縮コイルバネ２０が前記キャップ組立体１４の状態のまま前記容器本体１５から取り外されるので、前記液体容器８への給液の度に前記導液体１９と圧縮コイルバネ２０を組み付ける必要がなく、前記液体容器８への給液を容易に行うことができるものである。
【００３１】
また、本発明は、前記第一保持体１７に形成された第一雄螺子部２５と、前記容器本体１５に形成された第二雄螺子部２８とが、前記キャップ１６に形成された共通の雌螺子部２３と螺合するので、前記キャップ１６の構造を単純化して安価に構成することができるものである。
【００３２】
更に、本発明は、前記キャップ１６の内面と前記フランジ部１８Ａの間にＯリング２１を設けたことで、前記液体容器８を前記ドライヤー本体３から取り外した際に、前記キャップ１６とフランジ部１８Ａとの間が前記Ｏリング２１によってシールされるので、前記容器本体１５から前記第一保持体１７と第二保持体１８との間を通った水が、前記キャップ１６の外に漏れるのを防ぐことができるものである。
【００３３】
なお、本発明は以上の実施形態に限定されるものではなく、発明の要旨の範囲内で種々の変形実施が可能である。例えば、上記実施形態では、霧化装置を構成する超音波振動子は、ドライヤー本体に固定されるが、前記超音波振動子をユニット化し、ドライヤー本体に対し着脱可能に取り付けるようにしてもよい。また、上記実施形態では、前記霧化装置は前記ドライヤー本体の上部に設けられるが、前記霧化装置をドライヤー本体の下部或いは側部に設けてもよい。
【符号の説明】
【００３４】
１  ドライヤー
２  霧化装置
３  ドライヤー本体
４  吹出口
６  超音波振動子
８  液体容器
１４  キャップ組立体
１５  容器本体
１６  キャップ
１７  第一保持体
１７Ａ  フランジ部
１８  第二保持体
１８Ａ  フランジ部
１９  導液体
２０  圧縮コイルバネ（付勢手段）
２１  Ｏリング
２２  貫通孔
２３  雌螺子部
２４  貫通孔
２５  第一雄螺子部
２８  第二雄螺子部
【図１】
0005374530.tif 000002
【図２】
0005374530.tif 000003
【図３】
0005374530.tif 000004
【図４】
0005374530.tif 000005
【図５】
0005374530.tif 000006
【図６】
0005374530.tif 000007
【図７】
0005374530.tif 000008
【図８】
0005374530.tif 000009
【図９】
0005374530.tif 000010
【図１０】
0005374530.tif 000011